【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
互いにデータ通信可能に接続される複数の画像形成装置のうち、一方の画像形成装置が複写対象となる原稿の画像を読み取り、読み取った画像データを他方の画像形成装置に送信して、当該画像データに対する複数部数の印刷を前記一方の画像形成装置と前記他方の画像形成装置とで分担して印刷する印刷モードを実行可能な画像形成システムにおいて、
前記複数の画像形成装置のうちの一方の画像形成装置が前記複数の部数のうちのある部を印刷している際に当該一方の画像形成装置でエラーが発生した場合、当該印刷において特定の処理が指定されているかを判断する判断手段と、
前記特定の処理が指定されていると判断された場合、前記複数の画像形成装置のうちの他方の画像形成装置に、前記ある部を印刷させ、
前記特定の処理が指定されていると判断されなかった場合、前記複数の画像形成装置のうちの他方の画像形成装置に、前記ある部の中で既に印刷されたページを印刷させることなく印刷されていないページを印刷させる制御手段と、
を有することを特徴とする画像形成システム。
【請求項２】
前記複数の画像形成装置のうちの一方の画像形成装置は、
他方の画像形成装置でエラーが発生した場合に当該他方の画像形成装置において印刷が完了していない残りの部数を当該他方の画像形成装置から受信する受信手段と、
前記受信手段によって受信した部数と自機に割り当てられた部数から、自機に割り当てる部数を再設定する設定手段と、
を更に有することを特徴とする請求項１記載の画像形成システム。
【請求項３】
前記複数の画像形成装置のうちの一方の画像形成装置は、
前記制御手段による制御に基づいて、前記画像データの印刷を行う印刷手段を更に有し、
前記受信手段は、エラーが発生した他の画像形成装置から画像データを受信することなく、前記印刷手段は、読み取った画像データに基づいて前記設定手段で再設定された部数を印刷することを特徴とする請求項２記載の画像形成システム。
【請求項４】
前記制御手段は、エラーが発生した一方の画像形成装置に割り当てられた部数のうちの印刷が完了していない残りの部数を他方の画像形成装置に印刷させることを特徴とする請求項１乃至３の何れかに記載の画像形成システム。
【請求項５】
前記特定の処理は、ステイプル処理であることを特徴とする請求項１乃至４の何れかに記載の画像形成システム。
【請求項６】
他の画像形成装置とデータ通信可能に接続された画像形成装置であって、
前記他の画像形成装置において読み取られた画像データを受信する受信手段と、
前記受信手段で受信した画像データを、前記他の画像形成装置において指定された部数情報に基づいて印刷する印刷手段と、
前記画像データに対する複数部数の印刷を前記他の画像形成装置と前記印刷手段とで分担して印刷する印刷モードを実行する制御手段と、
前記複数部数のうちのある部を印刷している際に印刷続行不可能なエラーが発生した場合、前記印刷モードに基づく印刷において特定の処理が指定されているかを判断する判断手段と、
前記判断手段において、特定の処理が指定されていると判断された場合、前記ある部の中で既に印刷されたページ数或いは印刷が完了していないページ数を前記他の画像形成装置に通知することなく、前記判断手段において、特定の処理が指定されていると判断されなかった場合、前記ある部の中で既に印刷されたページ数或いは印刷が完了していないページ数を前記他の画像形成装置に通知する通知手段と、
を有することを特徴とする画像形成装置。
【請求項７】
他の画像形成装置とデータ通信可能に接続された画像形成装置であって、
原稿の画像を読み取る読み取り手段と、
前記読み取り手段によって読み取られた画像データを印刷する印刷手段と、
前記読み取り手段によって読み取られた画像データを前記他の画像形成装置に送信し、当該画像データに対する複数部数の印刷を前記他の画像形成装置と前記印刷手段とで分担して印刷する印刷モードを実行させる制御手段と、
前記複数部数のうちのある部を印刷している際に前記他の画像形成装置において印刷続行不可能なエラーが発生した場合、前記他の画像形成装置から当該エラーが発生したことを示す情報を受信する受信手段と、
前記受信手段において前記情報を受信するのに応じて、前記印刷モードに基づく印刷において特定の処理が指定されているかを判断する判断手段と、を有し、
前記判断手段において特定の処理が指定されていると判断された場合、前記印刷手段は、前記ある部を代行して印刷し、前記判断手段において特定の処理が指定されていると判断されなかった場合、前記印刷手段は、前記ある部の中で印刷が完了していないページを代行して印刷することを特徴とする画像形成装置。
【請求項８】
互いにデータ通信可能に接続される複数の画像形成装置のうち、一方の画像形成装置が複写対象となる原稿の画像を読み取り、読み取った画像データを他方の画像形成装置に送信して、当該画像データに対する複数部数の印刷を前記一方の画像形成装置と前記他方の画像形成装置とで分担して印刷する印刷モードを実行可能な画像形成システムの制御方法において、
前記複数の画像形成装置のうちの一方の画像形成装置が前記複数の部数のうちのある部を印刷している際に当該一方の画像形成装置でエラーが発生した場合、当該印刷において特定の処理が指定されているかを判断する判断ステップと、
前記特定の処理が指定されていると判断された場合、前記複数の画像形成装置のうちの他方の画像形成装置に、前記ある部を印刷させ、
前記特定の処理が指定されていると判断されなかった場合、前記複数の画像形成装置のうちの他方の画像形成装置に、前記ある部の中で既に印刷されたページを印刷させることなく印刷されていないページを印刷させる制御ステップと、
を有することを特徴とする画像形成システムの制御方法。
【請求項９】
他の画像形成装置とデータ通信可能に接続された画像形成装置の制御方法であって、
前記他の画像形成装置において読み取られた画像データを受信する受信ステップと、
前記受信ステップで受信した画像データを、前記他の画像形成装置において指定された部数情報に基づいて印刷する印刷ステップと、
前記画像データに対する複数部数の印刷を前記画像形成装置が備える印刷手段と前記他の画像形成装置とで分担して印刷する印刷モードを実行する制御ステップと、
前記複数部数のうちのある部を印刷している際に印刷続行不可能なエラーが発生した場合、前記印刷モードに基づく印刷において特定の処理が指定されているかを判断する判断ステップと、
前記判断ステップにおいて、特定の処理が指定されていると判断された場合、前記ある部の中で既に印刷されたページ数或いは印刷が完了していないページ数を前記他の画像形成装置に通知することなく、前記判断ステップにおいて、特定の処理が指定されていると判断されなかった場合、前記ある部の中で既に印刷されたページ数或いは印刷が完了していないページ数を前記他の画像形成装置に通知する通知ステップと、
を有することを特徴とする画像形成装置の制御方法。
【請求項１０】
他の画像形成装置とデータ通信可能に接続された画像形成装置の制御方法であって、
原稿の画像を読み取る読み取りステップと、
前記読み取りステップによって読み取られた画像データを印刷する印刷ステップと、
前記読み取りステップによって読み取られた画像データを前記他の画像形成装置に送信し、当該画像データに対する複数部数の印刷を前記画像形成装置が備える印刷手段と前記他の画像形成装置とで分担して印刷する印刷モードを実行させる制御ステップと、
前記複数部数のうちのある部を印刷している際に前記他の画像形成装置において印刷続行不可能なエラーが発生した場合、前記他の画像形成装置から当該エラーが発生したことを示す情報を受信する受信ステップと、
前記受信ステップにおいて前記情報を受信するのに応じて、前記印刷モードに基づく印刷において特定の処理が指定されているかを判断する判断ステップと、を有し、
前記判断ステップにおいて特定の処理が指定されていると判断された場合、前記印刷手段は、前記ある部を代行して印刷し、前記判断手段において特定の処理が指定されていると判断されなかった場合、前記印刷手段は、前記ある部の中で印刷が完了していないページを代行して印刷することを特徴とする画像形成装置の制御方法。
【手続補正２】
【補正対象書類名】明細書
【補正対象項目名】０００８
【補正方法】変更
【補正の内容】
【０００８】
上記課題を解決するために、本発明の画像形成システムは、互いにデータ通信可能に接続される複数の画像形成装置のうち、一方の画像形成装置が複写対象となる原稿の画像を読み取り、読み取った画像データを他方の画像形成装置に送信して、当該画像データに対する複数部数の印刷を前記一方の画像形成装置と前記他方の画像形成装置とで分担して印刷する印刷モードを実行可能な画像形成システムにおいて、前記複数の画像形成装置のうちの一方の画像形成装置が前記複数の部数のうちのある部を印刷している際に当該一方の画像形成装置でエラーが発生した場合、当該印刷において特定の処理が指定されているかを判断する判断手段と、前記特定の処理が指定されていると判断された場合、前記複数の画像形成装置のうちの他方の画像形成装置に、前記ある部を印刷させ、前記特定の処理が指定されていると判断されなかった場合、前記複数の画像形成装置のうちの他方の画像形成装置に、前記ある部の中で既に印刷されたページを印刷させることなく印刷されていないページを印刷させる制御手段とを有することを特徴とする。